(57)【要約】【課題】  例えば、落下衝撃を受けた際などに、携帯端末が備えるキーボタンの誤操作を防止し得る技術を提供すること。【解決手段】  携帯端末１０は、利用者が把持可能な本体２と、本体２の上面に設けられている表示画面４と、本体２の側面に、側面の表面から突出して設けられており、表面方向に押下することで携帯端末１０に指示を入力可能なキーボタン６ａ〜６ｂと、側面のうちのキーボタン６ａ，６ｂの周囲の少なくとも一部に設けられており、表面から突出しているリブ８ａ〜８ｄと、を備えており、リブ８ａ〜８ｄの表面からの高さは、キーボタン６ａ，６ｂが押下される場合においてキーボタン６ａ，６ｂが反応を開始する時点のキーボタン６ａ，６ｂの上面の表面からの高さよりも高い。【選択図】図２
2017224511.tif 000002
【特許請求の範囲】
【請求項１】
携帯端末であって、
利用者が把持可能な本体と、
前記本体の上面に設けられている表示画面と、
前記本体の側面に、前記側面の表面から突出して設けられており、前記表面方向に押下することで前記携帯端末に指示を入力可能なキーボタンと、
前記側面のうちの前記キーボタンの周囲の少なくとも一部に設けられており、前記表面から突出している緩衝部材と、
を備えており、
前記緩衝部材の前記表面からの高さは、前記キーボタンが押下される場合において前記キーボタンが反応を開始する時点の前記キーボタンの上面の前記表面からの高さよりも高い、
携帯端末。
【請求項２】
前記側面を平面視する場合において、前記キーボタンはＮ角形形状（前記Ｎは３以上の整数）を有しており、
前記緩衝部材は、前記側面を平面視する場合における前記キーボタンのＮ個の角のうちの少なくとも１個の角の近傍に設けられている、請求項１に記載の携帯端末。
【請求項３】
前記緩衝部材は、前記側面を平面視する場合における前記キーボタンのＮ本の辺のうちの少なくとも１本の辺の近傍に設けられているとともに、前記少なくとも１本の辺の全長に対応する長さに亘って設けられている、請求項２に記載の携帯端末。
【請求項４】
前記側面を平面視する場合において、前記キーボタンは四角形形状を有しており、
前記緩衝部材は、前記側面を平面視する場合における前記キーボタンの４本の辺のうちの少なくとも対向する２本の辺のそれぞれの近傍に設けられているとともに、前記緩衝部材のそれぞれは、前記少なくとも２本の辺のそれぞれの全長に対応する長さに亘って設けられている、請求項３に記載の携帯端末。
【請求項５】
前記少なくとも対向する２本の辺のそれぞれは、前記側面を平面視する場合において、前記本体の前記上面から前記本体の下面に向かう方向である特定方向に沿って配置されている辺である、請求項４に記載の携帯端末。
【請求項６】
前記側面を平面視する場合において、前記キーボタンは略楕円形状を有している、請求項１に記載の携帯端末。
【請求項７】
前記緩衝部材は、前記側面を平面視する場合において、前記本体の前記上面から前記本体の下面に向かう方向である特定方向に沿って設けられているとともに、前記キーボタンの前記特定方向の長さに亘って設けられている、請求項６に記載の携帯端末。
【請求項８】
前記緩衝部材は、前記特定方向に沿って２本設けられており、前記２本の前記緩衝部材は、前記キーボタンの前記特定方向の長さに亘って設けられているとともに、前記キーボタンを挟んで対向する位置に設けられている、請求項７に記載の携帯端末。
【請求項９】
前記緩衝部材は、前記側面を平面視する場合における前記キーボタンの全周に亘って設けられている、請求項１から８のいずれか一項に記載の携帯端末。
【請求項１０】
前記緩衝部材の前記表面からの高さは、前記キーボタンの上面の前記表面からの高さよりも常に高い、請求項１から９のいずれか一項に記載の携帯端末。
【発明の詳細な説明】
【技術分野】
【０００１】
本明細書で開示する技術は、キーボタンを備える携帯端末に関する。
【背景技術】
【０００２】
特許文献１には、サイドキーボタンを備える携帯端末が開示されている。筐体内では、サイドキーボタンに連結されている基部とリブとが間隔を空けて対向している。サイドキーボタンが押下される場合に、筐体内に押し込まれたサイドキーボタンがスイッチを作動させ、基部がリブに当接する。そのため、サイドキーボタンがさらに押下されても、リブによる抵抗が発生するので、サイドキーボタンが押しこまれにくくなっている。例えば、サイドキーボタンが落下衝撃を受ける場合に、筐体内に大きく押し込まれることが防止され、携帯端末の破損が防止される。
【先行技術文献】
【特許文献】
【０００３】
【特許文献１】特開２０１０−０９８６７４号公報
【発明の概要】
【発明が解決しようとする課題】
【０００４】
特許文献１の技術では、基部がリブに当接するまでは、サイドキーボタンが筐体内に押し込まれることを防止することができない。即ち、例えば、落下衝撃を受けた場合、サイドキーボタンが押され、誤ってスイッチを作動させることを防止することはできない。本明細書では、例えば、落下衝撃を受けた際などに、携帯端末が備えるキーボタンの誤操作を防止し得る技術を開示する。
【課題を解決するための手段】
【０００５】
本明細書が開示する携帯端末は、利用者が把持可能な本体と、本体の上面に設けられている表示画面と、本体の側面に、側面の表面から突出して設けられており、表面方向に押下することで携帯端末に指示を入力可能なキーボタンと、側面のうちのキーボタンの周囲の少なくとも一部に設けられており、表面から突出している緩衝部材と、を備えており、緩衝部材の表面からの高さは、キーボタンが押下される場合においてキーボタンが反応を開始する時点のキーボタンの上面の表面からの高さよりも高い。
【０００６】
上記の携帯端末が、落下したり、障害物にぶつかったりすると、キーボタン及び緩衝部材が形成されている側面が衝撃を受ける可能性がある。上記の携帯端末では、緩衝部材の側面の表面からの高さが、キーボタンが押下される場合においてキーボタンが反応を開始する時点のキーボタンの上記表面からの高さよりも高い。そのため、仮に側面が衝撃を受ける場合において、キーボタンの上面が押圧される状況であっても、緩衝部材の存在により、キーボタンが反応を開始する高さまで押下される事態が発生することを抑制し得る。従って、携帯端末が備えるキーボタンの誤操作が防止され得る。
【図面の簡単な説明】
【０００７】
【図１】携帯端末の斜視図を示す。
【図２】携帯端末の上面図を示す。
【図３】利用者が携帯端末を把持している様子を示す。
【図４】第１実施例のキーボタンとリブとの例を示す。
【図５】第２実施例のキーボタンとリブとの例を示す。
【図６】第３実施例のキーボタンとリブとの例を示す。
【図７】第４実施例のキーボタンとリブとの例を示す。
【図８】第５実施例のキーボタンとリブとの例を示す。
【発明を実施するための形態】
【０００８】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【０００９】
（特徴１）  側面を平面視する場合において、キーボタンはＮ角形形状（Ｎは３以上の整数）を有していてもよい。緩衝部材は、側面を平面視する場合におけるキーボタンのＮ個の角のうちの少なくとも１個の角の近傍に設けられていてもよい。
【００１０】
キーボタンが多角形形状を有する場合、その辺部分よりも角部分が衝撃を受けやすい。特徴１の構成によると、緩衝部材は、側面を平面視する場合におけるキーボタンのＮ個の角のうちの少なくとも１個の角の近傍に設けられているため、キーボタンの誤操作がより効果的に防止され得る。
【００１１】
（特徴２）  緩衝部材は、側面を平面視する場合におけるキーボタンのＮ本の辺のうちの少なくとも１本の辺の近傍に設けられているとともに、少なくとも１本の辺の全長に対応する長さに亘って設けられていてもよい。
【００１２】
（特徴３）  側面を平面視する場合において、キーボタンは四角形形状を有していてもよい。緩衝部材は、側面を平面視する場合におけるキーボタンの４本の辺のうちの少なくとも対向する２本の辺のそれぞれの近傍に設けられているとともに、緩衝部材のそれぞれは、少なくとも２本の辺のそれぞれの全長に対応する長さに亘って設けられていてもよい。
【００１３】
（特徴４）  少なくとも対向する２本の辺のそれぞれは、側面を平面視する場合において、本体の上面から本体の下面に向かう方向である特定方向に沿って配置されている辺であってもよい。
【００１４】
（特徴５）  側面を平面視する場合において、キーボタンは略楕円形状を有していてもよい。
【００１５】
（特徴６）  緩衝部材は、側面を平面視する場合において、本体の上面から本体の下面に向かう方向である特定方向に沿って設けられているとともに、キーボタンの特定方向の長さに亘って設けられていてもよい。
【００１６】
（特徴７）  緩衝部材は、特定方向に沿って２本設けられていてもよい。２本の緩衝部材は、キーボタンの特定方向の長さに亘って設けられているとともに、キーボタンを挟んで対向する位置に設けられていてもよい。
【００１７】
（特徴８）  緩衝部材は、側面を平面視する場合におけるキーボタンの全周に亘って設けられていてもよい。
【００１８】
特徴６〜８の構成によると、緩衝部材がより広範囲に亘って設けられているため、本体の側面に衝撃が加わる場合において、キーボタンにより衝撃が加わり難くなる。これにより、キーボタンの誤操作がより効果的に防止され得る。
【００１９】
（特徴９）  緩衝部材の表面からの高さは、キーボタンの上面の表面からの高さよりも常に高くてもよい。
【００２０】
特徴９の構成によると、本体の側面に衝撃が加わる場合において、キーボタンに衝撃が加わって押下されることをより効果的に抑制することができる。これにより、キーボタンの誤操作がより効果的に防止され得る。
【実施例】
【００２１】
（第１実施例）
（ケースＡ１）
図１〜図３、及び、図４（Ａ１）を参照して、本実施例の携帯端末１０の一実施態様であるケースＡ１について説明する。図１、図２に示すように、携帯端末１０は、情報コード（例えば、バーコードや２次元コード）を読み取るための光学情報読取装置である。携帯端末１０は、本体２と、表示画面４と、操作部５と、２個のキーボタン６ａ，６ｂと、読み取り部７と、４個のリブ８ａ〜８ｄと、を備える。図３に示すように、利用者は、操作部５を掌で覆うようにして本体２を把持可能である。以下では、本体２の各面のうち、図中の座標系のＸＹ平面に平行であり、Ｚ軸の正方向に向いた面を「上面」と呼ぶ。本体２の各面のうち、図中の座標系のＸＹ平面に平行であり、Ｚ軸の負方向に向いた面を「下面」と呼ぶ。本体２の各面のうち、図中の座標系のＹＺ平面に平行である２個の面をそれぞれ、「側面」と呼ぶ。
【００２２】
表示画面４は、本体２の上面に設けられている液晶画面である。表示画面４は、読み取られた情報コードに記録された情報、操作部５に入力された情報等を表示することができる。操作部５は、本体２の上面に設けられている。操作部５は、表示画面４から見て、Ｙ軸の負方向に位置する。操作部５は、複数のボタンによって構成される。利用者は、操作部５を操作することによって、様々な指示を携帯端末１０に入力することができる。
【００２３】
本体２の２個の側面のそれぞれには、キーボタン６が設けられている。２個のキーボタン６ａ，６ｂは、本体２の側面の表面から突出して設けられている。キーボタン６ａ，６ｂは、本体２の上面を平面視にする場合において、Ｘ軸方向に表示画面４と並んでいる。キーボタン６ａ，６ｂは、本体２の側面を平面視する場合において、矩形形状を有している（図４（Ａ１）参照）。図３に示されるように、利用者がキーボタン６ａ，６ｂのうちの一方又は両方を側面の表面に向かう方向（Ｘ軸方向）に押下すると、キーボタン６は、本体２に内蔵されたスイッチ（図示省略）を作動させる。これにより、読み取り指示が携帯端末１０に入力される。読み取り指示は、携帯端末１０が読み取り部７を利用して情報コードを読み取るための指示である。なお、キーボタン６は、誤動作を抑制するため、わずかに押下されても反応を開始せず、ある程度深く押下されて初めて反応を開始するように設定されている。
【００２４】
４個のリブ８ａ〜８ｄは、キーボタン６ａ，６ｂの周囲の一部に設けられている。図４（Ａ１）に示されるように、リブ８ａ，８ｂは、本体２の側面を平面視する場合におけるキーボタン６ａの対向する２本の辺のそれぞれの近傍に設けられている。当該２本の辺は、Ｚ軸方向（「本体２の厚み方向」と言い換えてもよい）に沿って配置されている辺である。リブ８ａ，８ｂのそれぞれは、当該２本の辺のそれぞれの全長に対応する長さに亘って設けられている。そのため、リブ８ａ，８ｂは、キーボタン６ａの４個の角の近傍にも位置している。リブ８ａは、リブ８ｂから見てＹ軸の負方向に設けられている。リブ８ａ，８ｂは、本体２の側面の表面から突出している。リブ８ａ，８ｂの表面からの高さは、キーボタン６ａの上面の表面からの高さよりも常に高い。以下では、「高さ」は、本体２の側面の表面からの高さを指すものとする。
【００２５】
リブ８ｃ，８ｄの形状はリブ８ａ，８ｂの形状と同様である。以下で説明する全ての実施例において、本体２の一方の側面に設けられているキーボタン及びリブの形状と、他方の側面に設けられているキーボタン及びリブの形状と、は同一であるため、一方の側面に設けられているキーボタン及びリブのみについて説明する。
【００２６】
リブ８ａ，８ｂに着目して、ケースＡ１の効果を説明する。本ケースの携帯端末１０が、落下したり、障害物にぶつかったりすると、キーボタン６ａ，６ｂ及びリブ８ａが形成されている側面が衝撃を受ける可能性がある。携帯端末１０では、リブ８ａ，８ｂの高さは、キーボタン６ａの表面からの高さよりも常に高いので、本体２の側面に衝撃が加わる場合において、衝突物がキーボタン６ａの表面に接触しにくい。そのため、キーボタンに衝撃が加わって押下されることを抑制することができる。これにより、キーボタンに衝撃が加わること等によるキーボタンの誤操作が防止され得る。
【００２７】
キーボタン６ａの辺部分よりも角部分が衝撃を受けやすい。本ケースによると、リブ８ａ，８ｂは、側面を平面視する場合におけるキーボタン６ａの４個の角の近傍に設けられているため、衝撃等によるキーボタン６ａの誤操作がより効果的に防止され得る。
【００２８】
また、リブ８ａ，８ｂは、キーボタン６ａの対向する２本の辺のそれぞれの近傍に、それぞれの全長に対応する長さに亘って設けられている。即ち、リブが１本の辺の近傍のみに設けられている構成、リブが２本の辺の全長に満たない長さに亘って設けられている構成等と比較して、本ケースでは、リブ８ａ，８ｂがより広範囲に亘って設けられている。そのため、本体２の側面に衝撃が加わる場合において、キーボタン６ａにより衝撃が加わり難くなる。これにより、衝撃等によるキーボタン６ａの誤操作がより効果的に防止され得る。
【００２９】
リブ８ｂは、利用者が把持可能な本体２の部位寄りにおいてＺ軸方向に沿って設けられている。そのため、利用者は、本体２を把持する際に、指をリブ８ｂに係止することができる。これにより、キーボタン６ａの操作する際の利用者の利便性を向上させることができる。
【００３０】
（ケースＡ２〜Ａ８）
次いで、図４（Ａ２）〜（Ａ８）を参照して、第１実施例の携帯端末１０の他の実施態様であるケースＡ２〜Ａ８について説明する。なお、図４（Ａ２）、（Ａ３）・・・（Ａ８）の各パターンがそれぞれ、第１実施例のケースＡ２、Ａ３・・・Ａ８に対応する。以下、図５以降についても同様である。ケースＡ２〜Ａ８では、本体２の側面を平面視する場合におけるリブの形状及び配置位置がケースＡ１とは異なる。図４を参照して、ケースＡ２〜Ａ８のリブについて説明する。なお、各ケースでは、キーボタン６ａの近傍のリブと、キーボタン６ｂの近傍のリブと、は同様の形状であるため、キーボタン６ａの近傍のリブのみについて説明する。
【００３１】
ケースＡ２では、リブ１８は、キーボタン６ａのＺ軸方向に沿って配置されている１本の辺の近傍に、当該辺の全長に満たない長さに亘って設けられている。即ち、ケースＡ２では、リブ１８はドット状に形成されている。リブ１８の形状がドット状であっても、ケースＡ１と同様に、衝撃等によるキーボタン６ａの誤操作が防止され得る。そして、リブ１８は、利用者が把持可能な本体２の部位の近傍に設けられている。そのため、利用者は、本体２を把持する際に、指をリブ１８に係止させることができる。これにより、キーボタン６ａの操作する際の利用者の利便性を向上させることができる。
【００３２】
ケースＡ３では、リブ２８は、キーボタン６ａの１個の角の近傍に設けられている。即ち、リブ２８は、キーボタン６ａの１個の角をカバーする機能を果たす。上記の通り、本体２の落下時等においては、キーボタン６ａの角部は、辺部分よりも衝撃を受けやすい。そのため、ケースＡ３では、１本の辺の近傍に１個のドット状のリブ１８が形成される構成のケースＡ２と比較して、キーボタン６ａの誤操作がより効果的に防止され得る。
【００３３】
ケースＡ４では、リブ３８ａ，３８ｂは、キーボタン６ａの対角線上の２個の角の近傍に設けられている。即ち、リブ３８ａ，３８ｂは、キーボタン６ａの対角線上の２個の角をカバーする機能を果たす。これにより、ケースＡ４では、リブ２８が１個の角のみをカバーする構成のケースＡ３と比較して、衝撃等によるキーボタン６ａの誤操作がより効果的に防止され得る。
【００３４】
ケースＡ５では、リブ４８ａ〜４８ｄは、キーボタン６ａの４個の角すべての近傍に設けられている。即ち、リブ４８ａ〜４８ｄにより、キーボタン６ａの全ての角がカバーされる。これにより、ケースＡ５では、リブ３８ａ，３８ｂが２個の角のみをカバーする構成のケースＡ４と比較して、衝撃等によるキーボタン６ａの誤操作がさらに効果的に防止され得る。
【００３５】
ケースＡ６では、リブ５８は、キーボタン６ａのＺ軸方向に沿って配置されている１本の辺の近傍に、当該辺の全長に対応する長さに亘って設けられている。これにより、ケースＡ６では、１本の辺の近傍に１個のドット状のリブ１８が形成される構成のケースＡ２と比較して、衝撃等によるキーボタン６ａの誤操作がより効果的に防止され得る。また、リブ５８は、利用者が把持可能な本体２の部位寄りに設けられているため、ケースＡ１と同様に、本体２を把持した際に利用者が指をリブ５８に係止し易く、その結果、キーボタン６ａの操作する際の利用者の利便性を向上させることができる。
【００３６】
ケースＡ７では、リブ６８ａ，６８ｂは、キーボタン６ａの対向する２本の辺のそれぞれの近傍に、それぞれの全長に対応する長さに亘って設けられている。当該２本の辺は、Ｙ軸方向に沿って配置されている辺である。このような態様でも、２本のリブ６８ａ，６８ｂは、キーボタン６ａを衝撃等から守る機能を果たし得る。そのため、ケースＡ７の態様でも、ケースＡ１と同様に、衝撃等によるキーボタン６ａの誤操作が防止され得る。
【００３７】
ケースＡ８では、リブ７８は、キーボタン６ａの全周に亘って設けられている。即ち、このケースでは、リブ７８により、キーボタン６ａの全周がカバーされる。そのため、例えば本体２が落下する場合において、どの角度から本体２が落下したとしても、キーボタン６ａの全周がリブ７８によってカバーされるため、衝突物がキーボタン６ａの表面に接触することが抑制される。これにより、ケースＡ１〜Ａ７と比較して、衝撃等によるキーボタン６ａの誤操作がより効果的に防止され得る。
【００３８】
（第２実施例）
（ケースＢ１〜Ｂ８）
第２実施例では、本体２の側面を平面視する場合におけるキーボタン及びリブの形状が第１実施例とは異なる。図５を参照して、ケースＢ１〜Ｂ８のキーボタン及びリブについて説明する。ケースＢ１〜Ｂ８のキーボタン１０６ａは、Ｙ軸方向に平行な２辺を有する等脚台形形状を有している。図５に示すケースＢ１〜Ｂ８では、キーボタン１０６ａ及び各リブの形状がケースＡ１〜Ａ８とは異なるが、各リブの配置位置は上記のケースＡ１〜Ａ８のそれぞれのリブの配置位置と略共通している。そのため、本実施例のケースＢ１〜Ｂ８の各構成によっても、基本的にはケースＡ１〜Ａ８の各構成と同様の作用効果が発揮され得る。
【００３９】
ケースＢ１でも、ケースＡ１と同様に、２個のリブ１０８ａ，１０８ｂは、キーボタン１０６ａの対向する２本の辺のそれぞれの近傍に設けられている。本ケースでは、当該２本の辺は、Ｚ軸に平行ではないが、Ｚ軸方向に沿って配置されている。ケースＢ１のキーボタン１０６ａは、ケースＡ１のキーボタン６ａとは形状が異なる。しかし、このような形状のキーボタンを備えるケースＢ１でも、ケースＡ１と同様に、リブ１０８ａ，１０８ｂは、キーボタン１０６ａの全ての角をカバーしており、キーボタン１０６ａの厚み方向に沿って配置されている２本の辺をカバーする長さを有する。また、リブ１０８ｂは、利用者が把持可能な本体２の部位寄りに設けられている。そのため、ケースＢ１でも、ケースＡ１と同様に、衝撃等による誤操作が防止されるとともに、利用者の利便性を向上させることができる。
【００４０】
ケースＢ２では、上記ケースＡ２と同様に、リブ１１８は、キーボタン１０６ａのＺ軸方向に沿って配置されている辺の近傍に、当該辺の全長に満たない長さに亘って（即ち、ドット状に）設けられている。リブ１１８は、利用者が把持可能な本体２の部位の近傍に設けられている。そのため、このケースＢ２によっても、ケースＡ２と同様の効果が発揮される。ケースＢ３では、上記ケースＡ３と同様に、リブ１２８は、キーボタン１０６ａの１個の角の近傍に設けられている。そのため、ケースＢ３によっても、ケースＡ３と同様の効果が発揮される。ケースＢ４では、上記ケースＡ４と同様に、リブ１３８ａ，１３８ｂは、キーボタン１０６ａの対角線上の２個の角の近傍に設けられている。これにより、ケースＢ４では、上記ケースＡ４の場合と同様に、ケースＢ３と比較して衝撃等によるキーボタン１０６ａの誤操作がより効果的に防止され得る。
【００４１】
ケースＢ５では、リブ１４８ａ〜１４８ｄは、キーボタン１０６ａの４個の角すべての近傍に設けられている。これにより、ケースＢ５では、上記ケースＡ５の場合と同様に、ケースＢ４と比較して衝撃等によるキーボタン１０６ａの誤操作がより効果的に防止され得る。ケースＢ６では、リブ１５８は、キーボタン１０６ａのＺ軸方向に沿って配置されている１本の辺の近傍に、当該辺の全長に対応する長さに亘って設けられている。これにより、ケースＡ６と同様の効果が発揮される。ケースＢ７では、リブ１６８ａ，１６８ｂは、キーボタン１０６ａの対向する２本の辺のそれぞれの近傍に、それぞれの全長に対応する長さに亘って設けられている。当該２本の辺は、Ｙ軸方向に沿って配置されている辺である。これにより、ケースＡ７と同様の効果が発揮される。ケースＢ８では、リブ１７８は、キーボタン１０６ａの全周に亘って設けられている。これにより、上記ケースＡ８の場合と同様に、ケースＢ１〜Ｂ７と比較してキーボタン１０６ａの誤操作がより効果的に防止され得る。
【００４２】
（第３実施例）
（ケースＣ１〜Ｃ８）
第３実施例では、本体２の側面を平面視する場合におけるキーボタン及びリブの形状が第１及び第２実施例とは異なる。図６を参照して、ケースＣ１〜Ｃ７のキーボタン及びリブについて説明する。ケースＣ１〜Ｃ７のキーボタン２０６ａは、略楕円形状を有している。キーボタン２０６ａは、Ｙ軸に平行な２本の辺と、Ｙ軸方向に膨らむ２本の円弧と、を有している。図６に示すケースＣ１〜Ｃ７でも、キーボタン２０６ａ及び各リブの形状がケースＡ１〜Ａ８とは異なるが、各リブの配置位置は上記のケースＡ１〜Ａ８で開示したものと略共通している。そのため、本実施例のケースＣ１〜Ｃ７の各構成によっても、基本的にはケースＡ１〜Ａ８で開示された構成と同様の作用効果が発揮され得る。
【００４３】
ケースＣ１では、リブ２０８ａ，２０８ｂは、Ｚ軸方向に沿って設けられているとともに、キーボタン２０６ａを挟んで対向する位置に設けられている。リブ２０８ａ，２０８ｂのそれぞれは、キーボタン２０６ａのＺ軸方向の長さに亘って設けられている。そのため、このケースＣ１においても、ケースＡ１と同様の効果が発揮される。ケースＣ２では、リブ２１８は、キーボタン２０６ａの１本の円弧の近傍に、Ｚ軸方向に沿って設けられている。リブ２１８は、キーボタン２０６ａのＺ軸方向の長さに亘って設けられている。これにより、ケースＡ６と同様の効果が発揮される。ケースＣ３では、リブ２２８ａ，２２８ｂは、キーボタン２０６ａの対向する２本の辺のそれぞれの近傍に、キーボタン２０６ａのＹ軸方向の長さに亘って設けられている。これにより、ケースＡ７と同様の効果が発揮される。ケースＣ４では、リブ２３８は、キーボタン２０６ａを囲む矩形形状に沿ってキーボタン２０６ａの全周に亘って設けられている。これにより、ケースＡ８と同様の効果が発揮される。
【００４４】
ケースＣ５では、リブ２４８ａ，２４８ｂは、キーボタン２０６ａの２本の円弧の近傍に、２本の円弧に沿って（即ち、Ｚ軸方向に沿う曲線状に）設けられている。リブ２４８ａ，２４８ｂは、キーボタン２０６ａのＺ軸方向の長さに亘って設けられている。ケースＣ５のリブ２４８ａ，２４８ｂはキーボタン２０６ａの円弧に沿った形状に形成されており、ケースＣ１のリブ２０８ａ，２０８ｂとは形状が異なるが、配置位置は略同じである。そのため、このケースＣ５においても、ケースＣ１と同様の効果が発揮される。ケースＣ６では、リブ２５８は、キーボタン２０６ａの１本の円弧の近傍に、当該１本の円弧に沿って設けられている。リブ２５８は、キーボタン２０６ａのＺ軸方向の長さに亘って設けられている。ケースＣ６のリブ２５８は、キーボタン２０６ａの円弧に沿った形状に形成されており、ケースＣ２のリブ２１８とは形状が異なるが、配置位置は略同じである。そのため、このケースＣ６においても、ケースＣ２と同様の効果が発揮される。ケースＣ７では、リブ２６８は、キーボタン２０６ａの外周に沿ってキーボタン２０６ａの全周に亘って設けられている。即ち、ケースＣ７のリブ２６８は、キーボタン２０６ａの外周形状（即ち楕円形状）に沿った形状に形成されており、ケースＣ４のリブ２３８（即ち矩形形状）とは形状が異なるが、配置位置は略同じである。そのため、このケースＣ７においても、ケースＣ４と同様の効果が発揮される。
【００４５】
（第４実施例）
（ケースＤ１〜Ｄ８）
第４実施例では、本体２の側面を平面視する場合におけるキーボタン及びリブの形状が第１〜第３実施例とは異なる。図７を参照して、ケースＤ１〜Ｄ８のキーボタン及びリブについて説明する。ケースＤ１〜Ｄ８のキーボタン３０６ａは、台形形状を有している。キーボタン３０６ａは、Ｙ軸に平行な２本の辺と、Ｚ軸に平行な一本の辺と、を有している。図７に示すケースＤ１〜Ｄ８でも、キーボタン３０６ａ及び各リブの形状がケースＡ１〜Ａ８とは異なるが、各リブの配置位置は上記のケースＡ１〜Ａ８で開示したものと略共通している。そのため、本実施例のケースＤ１〜Ｄ８の各構成によっても、基本的にはケースＡ１〜Ａ８で開示された構成と同様の作用効果が発揮される。
【００４６】
ケースＤ１では、リブ３０８ａ，３０８ｂは、キーボタン３０６ａの対向する２本の辺のそれぞれの近傍に設けられている。当該２本の辺のうちの１本の辺は、Ｚ軸に平行に配置され、他の１本の辺は、Ｚ軸に平行ではないが、Ｚ軸方向に沿って配置されている。そのため、このケースＤ１においても、ケースＡ１と同様の効果が発揮される。ケースＤ２では、リブ３１８は、キーボタン３０６ａのＺ軸に平行に配置されている辺の近傍に、当該辺の全長に満たない長さに亘って（即ち、ドット状に）設けられている。リブ３１８は、利用者が把持可能な本体２の部位の近傍に設けられている。これにより、ケースＡ２と同様の効果が発揮される。ケースＤ３では、リブ３２８は、キーボタン３０６ａの１個の角の近傍に設けられている。これにより、ケースＡ３と同様の効果が発揮される。ケースＤ４では、リブ３３８ａ，３３８ｂは、キーボタン３０６ａの対角線上の２個の角の近傍に設けられている。これにより、上記ケースＡ４の場合と同様に、ケースＤ３と比較してキーボタン３０６ａの誤操作がより効果的に防止され得る。
【００４７】
ケースＤ５では、リブ３４８ａ〜３４８ｄは、キーボタン３０６ａの４個の角すべての近傍に設けられている。これにより、上記ケースＡ５の場合と同様に、ケースＤ４と比較してキーボタン３０６ａの誤操作がより効果的に防止され得る。ケースＤ６では、リブ３５８は、キーボタン３０６ａのＺ軸に平行に配置されている１本の辺の近傍に、当該辺の全長に対応する長さに亘って設けられている。これにより、ケースＡ６と同様の効果が発揮される。ケースＤ７では、リブ３６８ａ，３６８ｂは、キーボタン３０６ａの対向する２本の辺のそれぞれの近傍に、それぞれの全長に対応する長さに亘って設けられている。当該２本の辺は、Ｙ軸に平行に配置されている辺である。これにより、ケースＡ７と同様の効果が発揮される。ケースＤ８では、リブ３７８は、キーボタン３０６ａの全周に亘って設けられている。これにより、上記ケースＡ８の場合と同様に、ケースＤ１〜Ｄ７と比較して衝撃等によるキーボタン３０６ａの誤操作がより効果的に防止され得る。
【００４８】
（第５実施例）
（ケースＥ１〜Ｅ７）
第５実施例では、本体２の側面を平面視する場合におけるキーボタン及びリブの形状が第１〜第４実施例とは異なる。図８を参照して、ケースＥ１〜Ｅ７のキーボタン及びリブについて説明する。ケースＥ１〜Ｅ７のキーボタン４０６ａは、六角形形状を有している。キーボタン４０６ａは、Ｙ軸に平行な２本の辺と、Ｚ軸方向に沿って配置されている４本の辺と、を有している。図８に示すケースＥ１〜Ｅ７でも、キーボタン４０６ａ及び各リブの形状がケースＡ１〜Ａ８とは異なるが、各リブの配置位置は上記のケースＡ１〜Ａ８で開示したものと略共通している。そのため、本実施例のケースＥ１〜Ｅ７の各構成によっても、基本的にはケースＡ１〜Ａ８で開示された構成と同様の作用効果が発揮される。
【００４９】
ケースＥ１では、２個のリブ４０８ａ，４０８ｂは、キーボタン４０６ａの対向する４本の辺のそれぞれの近傍に設けられている。当該４本の辺は、Ｚ軸方向に沿って配置されている辺である。そのため、ケースＥ１の構成による場合も、ケースＡ１の場合と同様の効果が発揮される。ケースＥ２では、リブ４１８は、キーボタン４０６ａの１個の角の近傍に設けられている。ケースＥ２の構成による場合も、ケースＡ３と同様の効果が発揮される。ケースＥ３では、リブ４２８ａ，４２８ｂは、キーボタン４０６ａの対角線上の２個の角の近傍に設けられている。これにより、ケースＥ３では、ケースＡ４と同様に、ケースＥ２と比較して衝撃等によるキーボタン４０６ａの誤操作がより効果的に防止され得る。ケースＥ４では、リブ４３８ａ〜４３８ｄは、キーボタン４０６ａの４個の角すべての近傍に設けられている。これにより、ケースＥ４では、ケースＡ５と同様に、ケースＥ３と比較してキーボタン４０６ａの誤操作がより効果的に防止され得る。
【００５０】
ケースＥ５では、リブ４４８は、キーボタン４０６ａのＺ軸方向に沿って配置されている隣り合う２本の辺の近傍に、当該２本の辺の全長に対応する長さに亘って設けられている。これにより、ケースＡ６と同様の効果が発揮される。ケースＥ６では、リブ４５８ａ，４５８ｂは、キーボタン４０６ａの対向する２本の辺のそれぞれの近傍に、それぞれの全長に対応する長さに亘って設けられている。当該２本の辺は、Ｙ軸方向に沿って配置されている辺である。これにより、ケースＡ７と同様の効果が発揮される。ケースＥ７では、リブ４６８は、キーボタン４０６ａの全周に亘って設けられている。これにより、ケースＡ８と同様に、ケースＥ１〜Ｅ６と比較してキーボタン４０６ａの誤操作がより効果的に防止され得る。
【００５１】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を含んでもよい。
【００５２】
（変形例１）上記の各実施例では、リブの高さは、キーボタンの上面の高さよりも常に高い。変形例では、リブの高さは、キーボタンが押下される場合においてキーボタンが反応を開始する時点のキーボタンの上面の高さよりも高ければよい。即ち、リブの高さは、キーボタンが反応を開始する前のキーボタンの上面の高さよりも低くてもよい。本変形例によると、仮に本体２の側面が衝撃を受ける場合において、キーボタンの上面が押圧される状況であっても、リブの存在により、キーボタンが反応を開始する高さまで押下される事態が発生することを抑制し得る。従って、携帯端末１０が備えるキーボタンの誤操作が防止され得る。
【００５３】
（変形例２）本体２の側面を平面視する場合におけるキーボタンの形状は、例えば、楕円、円、三角形、五角形等どのような形状であってもよい。
【符号の説明】
【００５４】
２：本体
４：表示画面
５：操作部
６ａ，６ｂ，１０６ａ，２０６ａ，３０６ａ，４０６ａ：キーボタン
８ａ〜８ｄ，１８，２８，３８ａ，３８ｂ，４８ａ〜４８ｄ，５８，６８ａ，６８ｂ，７８，１０８ａ，１０８ｂ，１１８，１２８，１３８ａ，１３８ｂ，１４８ａ〜１４８ｄ，１５８，１６８ａ，１６８ｂ，１７８，２０８ａ，２０８ｂ，２１８，２２８ａ，２２８ｂ，２３８，２４８ａ，２４８ｂ，２５８，２６８，３０８ａ，３０８ｂ，３１８，３２８，３３８ａ，３３８ｂ，３４８ａ〜３４８ｄ，３５８，３６８ａ，３６８ｂ，３７８，４０８ａ，４０８ｂ，４１８，４２８ａ，４２８ｂ，４３８ａ〜４３８ｄ，４４８，４５８ａ，４５８ｂ，４６８：リブ
１０：携帯端末
【図１】
2017224511.tif 000003
【図２】
2017224511.tif 000004
【図３】
2017224511.tif 000005
【図４】
2017224511.tif 000006
【図５】
2017224511.tif 000007
【図６】
2017224511.tif 000008
【図７】
2017224511.tif 000009
【図８】
2017224511.tif 000010
【手続補正書】
【提出日】平成28年7月19日(2016.7.19)
【手続補正１】
【補正対象書類名】図面
【補正対象項目名】図１
【補正方法】変更
【補正の内容】
【図１】
2017224511.tif 000011
【手続補正２】
【補正対象書類名】図面
【補正対象項目名】図２
【補正方法】変更
【補正の内容】
【図２】
2017224511.tif 000012
【手続補正３】
【補正対象書類名】図面
【補正対象項目名】図３
【補正方法】変更
【補正の内容】
【図３】
2017224511.tif 000013